(57)【要約】      （修正有）【課題】消臭剤の効能の低下を防いで室内全域の消臭を迅速かつ効率的に行え、抗菌と、防カビと、防汚とに優れ、消臭剤の掃除が、作業性が良く行える逆風装置を提供する。【解決手段】天井３の下面または裏面に取付けられるハウジング１と、ハウジング１内は、吸入口４に一端が連通されて導出筒体２との間に構成される外側導入通路５と、前記導出筒体内には外側導入通路５により包囲されて排出口６に一端が連通された内側導出通路７と、が設けられ、外側導入通路と内側導出通路との間に吸入口を通じて室内空気Ａを周囲から吸気し、回転軸８の軸長方向Ｉへと送気されるファンＦと、消臭剤９と、を備え、消臭剤が、金属、セラミックの基体１０の表面に金属粉末１１を溶着して消臭剤ユニット１２を構成し、消臭剤ユニットが、ネット状の収納容器１３内に多数収納され、該収納容器の複数個が外側導入通路内にファンを囲むように着脱可能に設けられている。【選択図】図１
0003152178.tif 000002
【実用新案登録請求の範囲】
【請求項１】
導出筒体がその内部中心部に配置されて天井の下面に直付けされるか、もしくは吊下げにより取付けられるか、または天井の裏面に埋込まれて取付けられるハウジングと、該ハウジング内は、該ハウジングの下端外周または上端外周に開設された吸入口に一端が連通されて前記導出筒体との間に構成される外側導入通路と、前記導出筒体内には排出口に一端が連通されて底面視または平面視が前記外側導入通路により包囲された内側導出通路と、が設けられ、前記外側導入通路と前記内側導出通路との間に前記吸入口を通じて室内空気を周囲から吸気するとともにモータの回転軸の軸長方向へと送気が行われるように設けられたファンと、前記ハウジング内に設けられた消臭剤と、を備えた室内空気循環用の送風装置において、
前記消臭剤が、金属、またはセラミックによりボール状もしくはグリット状に形成された基体の表面に金属粉末を溶着して消臭剤ユニットを構成し、
前記消臭剤ユニットが、ネット状の収納容器内に多数収納され、
前記収納容器が、少なくとも前記外側導入通路において前記ファンを囲むように、その近傍に前記消臭剤ユニットを収納した前記収納容器の複数個が着脱可能に設けられている
ことを特徴とする室内空気循環用の送風装置。
【請求項２】
前記消臭剤ユニットを収納した前記収納容器の複数個が、前記外側導入通路の外側および内側に配置される曲面壁部に沿って嵌脱可能に嵌入されていることを特徴とする請求項１に記載の室内空気循環用の送風装置。
【請求項３】
天井の裏面に前記ハウジングが埋込まれて取付けられる室内空気循環用の送風装置であって、前記消臭剤ユニットを収納した前記収納容器の複数個が、前記外側導入通路に連通して前記ハウジングを収容する箱形の拡張ハウジングの内壁に固定手段により着脱可能に設けられていることを特徴とする請求項１または２に記載の室内空気循環用の送風装置。
【請求項４】
前記消臭剤が、チタン、またはスズよりなる粉末を前記基体に溶着した光反応触媒、又は電磁波反応触媒であることを特徴とする請求項１〜３の何れか１項に記載の室内空気循環用の送風装置。
【請求項５】
前記消臭剤が、燐酸チタニウム、またはその化合物よりなる粉末を前記基体に溶着した空気反応触媒であることを特徴とする請求項１〜３の何れか１項に記載の室内空気循環用の送風装置。
【考案の詳細な説明】
【技術分野】
【０００１】
本考案は室内空気循環用の送風装置に関し、ファンの駆動により吸入口から室内空気を吸入し、排出口から吹出して室内空気を強制循環する構造の送風装置において、消臭剤の効能の低下を防いで室内全域の消臭を迅速かつ効率的に行えるとともに、抗菌と、防カビと、防汚とにも優れ、また、消臭剤の掃除を作業性が良く行うようにする。
【背景技術】
【０００２】
従来、室内空気を強制的に循環させることにより、室内温度の温度むらを無くして平均化をはかるための小型にして構造的にも簡単な室内空気循環用の送風装置には、例えば、本出願人が出願し、好評を博しているものとして、導出筒体がその内部中心部に配置されて天井の裏面に埋込まれて取付けられるハウジングと、該ハウジング内は、該ハウジングの下端外周に開設された吸入口に一端が連通されて前記導出筒体との間に構成される外側導入通路と、前記導出筒体内には底面視が前記外側導入通路により包囲されて排出口に一端が連通された内側導出通路と、が設けられ、前記外側導入通路と前記内側導出通路との間に前記吸入口を通じて室内空気を周囲から吸気するとともに回転軸の軸長方向へと送気が行われるように設けられたファンと、を備えたものがあった。
【０００３】
この、室内空気循環用の送風装置は、暖房機による暖房時に天井付近に停滞する暖気や、冷房機による冷房時に床面付近に停滞する冷気等の室内空気を、ファンを回動することにより、ハウジングの下端外周に設けられた吸入口から外側導入通路部内に吸気し、次いで、外側導入通路部内に導入された室内空気をファンの周囲からモータの回転軸の軸長方向へと送気することにより、底面視が前記外側導入通路により包囲された内側導出通路の搾り、案内機能により直線的に排出口から長い到達距離をもって床目がけて勢い良く排気を行い、室内空気を強制的に循環させて、暖房機または冷房機の消費エネルギーを省いて効率的に還流を行うものである。そして、この室内空気循環用の送風装置は、前記ハウジング内の前記導出筒体内に設けた格子状の整流板の表面に、空気酸化触媒としての燐酸チタニウムよりなる脱臭膜層を形成したことにより、この脱臭膜層により脱臭を行うものがあった（例えば特許文献１参照）。
【０００４】
また、従来、例えば脱臭剤、抗菌剤、防カビ剤としては、光（紫外線）を受けて活性化される酸化チタンが一般的に知られている。この酸化チタンを基材の上に担持するためには、シリコン系のバインダー、有機系のバインダー等のバインダーが必要とされている。
【先行技術文献】
【特許文献】
【０００５】
【特許文献１】実用新案登録第３１０５５７９号公報
【考案の概要】
【考案が解決しようとする課題】
【０００６】
しかしながら、特許文献１に記載の上記従来の室内空気循環用の送風装置は、脱臭剤が、脱臭膜層として、ハウジング内のファンよりも後段に位置される前記導出筒体内に設けた格子状の整流板の表面に形成された膜層構造なので、ハウジング内に導入される室内空気と、脱臭剤との接触は脱臭膜層の一面にて接触することになり、室内空気と、脱臭剤との接触面積を増大するのには、導出筒体に設けられる格子状の整流板の設置個数をいたずらに増やすことは、ファンから送気されて来る室内空気の流れを円滑するための阻害になり、しかも、装置が大型化するとともに重量が増大し、構造的に大きな制約になり、消臭効率を高めるのが難しかった。
【０００７】
また、特許文献１に記載の上記従来の室内空気循環用の送風装置は、脱臭剤が、脱臭膜層として、ハウジング内の前記導出筒体内に設けた格子状の整流板の表面に形成された膜層構造なので、使用により、脱臭剤の脱臭機能が低下した場合に、掃除を行ったり、新たな脱臭剤と交換することにより、脱臭剤の脱臭機能を回復させるのには、整流板が収められた導出筒体を導出筒体毎ハウジング内から取外して水洗いや払拭によりごみや汚れを落として綺麗にしなければならないという、大掛かりな作業を行わなければならず、多くの時間および手間がかかっていた。また、掃除後、再び導出筒体をハウジングの旧位置へ取付けるのに、その取付作業に多くの時間および手間がかかるものであった。
【０００８】
本考案は上記従来の不都合および諸問題を解決し、ハウジング内に導入される室内空気と脱臭剤との接触性、ファンによる室内空気の送気効率に優れ、脱臭剤による脱臭機能が遺憾なく発揮されることにより、室内全域の消臭が迅速かつ効率的に行えるとともに、抗菌と、防カビと、防汚とに優れ、また、消臭剤の掃除が、作業性と取扱性が良く行え、脱臭剤による脱臭機能の低下を防ぎ、保守・管理に優れ、小型にして構造簡単であり、製作および組付も容易で製作コストが安価な室内空気循還用の送風装置を提供することを目的とする。
【課題を解決するための手段】
【０００９】
本考案は上記課題に鑑みなされたものであり、請求項１に記載の考案は、導出筒体がその内部中心部に配置されて天井の下面に直付けされるか、もしくは吊下げにより取付けられるか、または天井の裏面に埋込まれて取付けられるハウジングと、該ハウジング内は、該ハウジングの下端外周または上端外周に開設された吸入口に一端が連通されて前記導出筒体との間に構成される外側導入通路と、前記導出筒体内には排出口に一端が連通されて底面視または平面視が前記外側導入通路により包囲された内側導出通路と、が設けられ、前記外側導入通路と前記内側導出通路との間に前記吸入口を通じて室内空気を周囲から吸気するとともにモータの回転軸の軸長方向へと送気が行われるように設けられたファンと、前記ハウジング内に設けられた消臭剤と、を備えた室内空気循環用の送風装置において、
前記消臭剤が、金属、またはセラミックによりボール状もしくはグリット状に形成された基体の表面に金属粉末を溶着して消臭剤ユニットを構成し、
前記消臭剤ユニットが、ネット状の収納容器内に多数収納され、
少なくとも前記外側導入通路において前記ファンを囲むように、その近傍に前記消臭剤ユニットを収納した前記収納容器の複数個が着脱可能に設けられている
ことを特徴とする。
【００１０】
また、本考案の請求項２に記載の考案は、請求項１において、前記消臭剤ユニットを収納した前記収納容器の複数個が、前記外側導入通路の外側および内側に配置される曲面壁部に沿って嵌脱可能に嵌入されていることを特徴とする。
【００１１】
また、本考案の請求項３に記載の考案は、請求項１,２において、天井の裏面に前記ハウジングが埋込まれて取付けられる室内空気循環用の送風装置であって、前記消臭剤ユニットを収納した前記収納容器の複数個が、前記外側導入通路に連通して前記ハウジングを収容する箱形の前記拡張ハウジングの内壁に固定手段により着脱可能に設けられていることを特徴とする。
【００１２】
また、本考案の請求項４に記載の考案は、請求項１〜３において、前記消臭剤が、チタン、またはスズよりなる粉末を前記基体に溶着した光反応触媒、又は電磁波反応触媒であることを特徴とする。
【００１３】
また、本考案の請求項５に記載の考案は、請求項１〜３の何れか１項において、前記消臭剤が、燐酸チタニウム、またはその化合物よりなる粉末を前記基体に溶着した空気反応触媒であることを特徴とする。
【考案の効果】
【００１４】
本考案の請求項１に記載の考案は、導出筒体がその内部中心部に配置されて天井の下面に直付けされるか、もしくは吊下げにより取付けられるか、または天井の裏面に埋込まれて取付けられるハウジングと、該ハウジング内は、該ハウジングの下端外周または上端外周に開設された吸入口に一端が連通されて前記導出筒体との間に構成される外側導入通路と、前記導出筒体内には排出口に一端が連通されて底面視または平面視が前記外側導入通路により包囲された内側導出通路と、が設けられ、前記外側導入通路と前記内側導出通路との間に前記吸入口を通じて室内空気を周囲から吸気するとともにモータの回転軸の軸長方向へと送気が行われるように設けられたファンと、前記ハウジング内に設けられた消臭剤と、を備えた室内空気循環用の送風装置において、前記消臭剤が、金属、またはセラミックによりボール状もしくはグリット状に形成された基体の表面に金属粉末を溶着して消臭剤ユニットを構成し、前記消臭剤ユニットが、ネット状の収納容器内に多数収納され、少なくとも前記外側導入通路において前記ファンを囲むように、その近傍に前記消臭剤ユニットを収納した前記収納容器の複数個が着脱可能に設けられているので、ファンが回動されてハウジング内に導入される室内空気が、ファンの回動力を間近に受けて脱臭剤ユニットと室内空気とは万遍なく接触することにより、接触性に優れ、しかも、ファンによる室内空気の送気効率に優れ、脱臭剤による脱臭機能を遺憾なく発揮されることにより、室内全域の消臭が迅速かつ効率的に行えるとともに、抗菌と、防カビと、防汚とに優れる。
【００１５】
また、使用により消臭剤の消臭機能が低下した場合に、消臭剤をネット状の収納容器毎ハウジングの外部に容易かつ迅速に取出すことができるので、消臭剤の掃除、および新たなものの交換が、作業性と取扱性が良く行え、脱臭剤による脱臭機能の低下を防ぎ、保守・管理に優れる。そして、臭消剤はコンパクトにハウジング内に収納できるので、小型にして構造簡単であり、製作および組付も容易で製作コストは安価になる。
【００１６】
また、本考案の請求項２に記載の考案は、請求項１において、前記消臭剤ユニットを収納した前記収納容器の複数個が、前記外側導入通路の外側および内側に配置される曲面壁部に沿って嵌脱可能に嵌入されているので、ファンが回動されてハウジング内に導入される室内空気と金属、またはセラミックによりボール状もしくはグリット状に形成された基体の表面に金属粉末を溶着した消臭剤ユニットは、ファンの回動力を間近に受けることにより、室内空気と脱臭剤との接触性は良好になり、ファンによる室内空気の送気効率に優れ、脱臭剤による脱臭機能を遺憾なく発揮させることにより、室内全域の消臭を迅速かつ効率的に行えるとともに、抗菌と、防カビと、防汚とに優れる。
【００１７】
そして、ネット状の収納容器内に多数の消臭剤ユニットが収納された消臭剤は、収納容器毎外側導入通路内に外側および内側に配置される曲面壁部に沿って嵌脱可能に嵌入されているので、使用により消臭剤の消臭機能が低下した場合に、消臭剤をネット状の収納容器毎ハウジングの外部に容易かつ確実に取出すことができ、消臭剤の掃除、および新たなものの交換が、簡単な取扱操作により迅速かつ確実に行えるから、作業性と取扱性が良くなり、以て脱臭剤による脱臭機能の低下を防ぎ、保守・管理に優れる。そして、臭消剤は、ハウジング内の外側導入通路にコンパクトに収納できるので、装置自体は小型にして構造簡単であり、製作および組付も容易で製作コストは安価になる。
【００１８】
また、本考案の請求項３に記載の考案は、請求項１,２において、天井の裏面に前記ハウジングが埋込まれて取付けられる室内空気循環用の送風装置であって、前記消臭剤ユニットを収納した前記収納容器の複数個が、前記外側導入通路に連通して前記ハウジングを収容する箱形の拡張ハウジングの内壁に固定手段により着脱可能に設けられているので、この拡張ハウジングの内壁に固着手段により着脱可能に固着された消臭剤は、外側導入通路内に嵌脱可能に嵌入されている消臭剤と協働して脱臭剤による脱臭機能を遺憾なく発揮させることにより、室内全域の消臭を迅速かつ効率的に行えるとともに、抗菌と、防カビと、防汚とに優れる。
【００１９】
そして、ネット状の収納容器内に多数の消臭剤ユニットが収納された消臭剤は、使用により消臭剤の消臭機能が低下した場合に、消臭剤をネット状の収納容器毎拡張ハウジングの外部に容易かつ確実に取出すことができるので、消臭剤の掃除、および新たなものの交換が、簡単な取扱操作により迅速かつ確実に行えるから、作業性と取扱性が良くなり、以て脱臭剤による脱臭機能の低下を防ぎ、保守・管理に優れる。
【００２０】
また、本考案の請求項４に記載の考案は、請求項１〜３において、前記消臭剤が、チタン、またはスズよりなる粉末を前記基体に溶着した光反応触媒、又は電磁波反応触媒であるので、基体表面にチタン粉末またはスズ粉末が溶着されて活性化される酸素欠乏傾斜構造皮膜が形成されるから、光を受けて反応される光反応触媒、または電磁波を受けて反応がされる電磁波反応触媒となり、消臭に優れ、抗菌と、防カビと、防汚とに優れる。
【００２１】
また、本考案の請求項５に記載の考案は、請求項１〜３の何れか１項において、前記消臭剤が、燐酸チタニウム、またはその化合物よりなる粉末を前記基体に溶着した空気反応触媒であるので、基体に溶着された燐酸チタニウム、またはその化合物よりなる粉末が空気中の酸素と水とが接触して生成される二価酸素と酸化オゾンとの酸化還元反応を惹起するとともに、酸素の還元により生成するＯ2-が、過酸化物、または過酸化水素となってＯＨを生成するため、消臭に優れ、抗菌と、防カビと、防汚とに優れる。
【図面の簡単な説明】
【００２２】
【図１】図１は本考案の室内空気循環用の送風装置の実施形態１を示す断面図である。
【図２】図２は同じく正面図である。
【図３】図３は同じく本実施形態１の室内空気循環用の送風装置を天井から取外した状態の平面図である。
【図４】図４は本実施形態１の室内空気循環用の送風装置を天井に取付けた状態を下方から見た斜視図である。
【図５】図５は同じく本実施形態１を構成する消臭剤ユニットを収納したネット状の収納容器を示す部分切欠斜視図である。
【図６】本考案の室内空気循環用の送風装置の実施形態２を示す断面図である。
【図７】図７は同じく下面図である。
【図８】図８は同じく本実施形態２を構成する拡張ハウジング内に取付けられる消臭剤ユニットを収納したネット状の収納容器を示す部分切欠斜視図である。
【考案を実施するための形態】
【００２３】
以下図面に従い、本考案を実施するための最良の形態につき詳細を説明する。
【００２４】
＜実施形態１＞
図１において、本実施形態１は、導出筒体２がその内部中心部に配置されて天井３の下面に直付けされて取付けられるハウジング１と、該ハウジング１内は、該ハウジング１の上端外周に開設された吸入口４に一端が連通されて前記導出筒体２との間に構成される外側導入通路５と、前記導出筒体２内には排出口６に一端が連通され底面視または平面視が前記外側導入通路５により包囲された内側導出通路７と、が設けられ、前記外側導入通路５と前記内側導出通路７との間に前記吸入口４を通じて室内空気Ａを天井３の下面に沿って周囲から吸気するとともに回転軸８の軸長方向Ｉへと送気が行われるように設けられたファンＦと、前記ハウジング１内に設けられた消臭剤９と、を備えた室内空気循環用の送風装置において、前記消臭剤９が、金属、またはセラミックによりボール状もしくはグリット状に形成された基体１０の表面に金属粉末１１を溶着して消臭剤ユニット１２を構成し、前記消臭剤ユニット１２が、ネット状の収納容器１３内に多数収納され、前記収納容器１３が、少なくとも前記外側導入通路５において前記ファンＦを囲むように、その近傍に前記消臭剤ユニット１２を収納した前記収納容器１３の複数個が着脱可能に設けられている。
【００２５】
前記ハウジング１を天井３の下面に取付けるのには、図示する本実施形態１では天井３の下面に直付けするものであり、ハウジング１の本体部１Ａの上部に取付可能な取付部材１Ｂを天井３の裏面に設けた添木１Ｃに複数本のねじｎ１を用いて取付け、そして、前記取付部材１Ｂをハウジング１の前記本体部１Ａにねじｎ２を用いて結合して取付ける。
【００２６】
前記ファンＦは、駆動源としてのモータＭと、該モータＭの駆動力により室内空気Ａを周囲から前記吸入口４を通じて吸気するとともにモータＭの回転軸８の軸長方向Ｉへと送気が行われ、前記導出筒体２の前記排出口６から排出させる整流ばね１４とにより構成されるものであり、室内Ｓの天井３に床面に向けてそれぞれ垂直下向に配置されている。前記モータＭは、本実施形態１では具体的に、例えば日本電産サーボ株式会社製のＤＣ小型ファン（型式ＳＣＮＤＭ１２Ｂ４）、定格電圧がＤＣ（直流）１２Ｖ、消費電力が７（Ｗ）、最大風量２．５（ｍ3／ｍｉｎ）、風速６．７（ｍ／ｓ）が使用される。
【００２７】
また、前記消臭剤ユニット１２を収納した前記収納容器１３の複数個、図３では４個が、前記外側導入通路５の外側および内側に配置される曲面壁部５Ａ,５Ｂに沿って嵌脱可能に嵌入されている（図１、図３、図５参照）。
【００２８】
前記消臭剤９が、チタン、またはスズよりなる金属粉末１１を前記基体１０に溶着して光を受けて反応が行われる光反応触媒、又は電磁波により反応が行われる電磁波反応触媒であるか、または、前記消臭剤９が、燐酸チタニウム、またはその化合物よりなる金属粉末１１を前記基体１０に溶着した空気反応触媒である。そして、消臭剤９がチタン、またはスズよりなる金属粉末１１を基体１０に溶着した光反応触媒、または電磁波反応触媒を用いると、基体１０の表面にチタン粉末またはスズ粉末が溶着されて活性化される酸素欠乏傾斜構造皮膜が形成されるから、光を受けて反応されたり、電磁波に反応されることにより、消臭に優れ、抗菌と、防カビと、防汚とに優れる。また、消臭剤９が、燐酸チタニウム、またはその化合物よりなる金属粉末１１を前記基体１０に溶着した空気反応触媒を用いると、消臭剤９が光を受けない場合でも空気に触れた場合には、基体１０に溶着された燐酸チタニウム、またはその化合物よりなる金属粉末１１が空気中の酸素と水とが接触して生成される二価酸素と酸化オゾンとの酸化還元反応を惹起するとともに、酸素の還元により生成するＯ2-が、過酸化物、または過酸化水素となってＯＨを生成することにより、同様に消臭に優れ、抗菌と、防カビと、防汚とに優れる。前記収納容器１３は袋状をなす。
【００２９】
１５はハウジング１の外壁、図では吸入口４と同じくしてハウジング１の上面に開設された数個の窓孔であり、この前記窓孔１５は前記ハウジング１の外部からの光、又は好ましくは電磁波を前記ハウジング１内に導光可能に設けるためのものである。このように、窓孔１５を通じて前記ハウジング１の外部からの光、例えば蛍光灯による照明または自然光による光や電磁波を導入させると、脱臭剤９に前述の光反応触媒、又は電磁波反応触媒を用いた場合に、脱臭剤９の酸素欠乏傾斜構造皮膜が光を受けて活性化されたり、又は電磁波を受けて反応されることにより、消臭、抗菌、防カビ、防汚を発揮させる。
【００３０】
本考案の室内空気循環用の送風装置の実施形態１は以上の構成からなり、例えば冬期に
暖房機により暖房を行い、天井３の下面付近に暖気が溜まったり、または夏期に冷房機により冷房を行い、床面付近に冷気が溜まり、室内温度に温度むらを生ずる場合に、室内空気Ａを還流して温度むらがない平均した室内温度にするのに、ファンＦが回動されると、ファンＦの回動により室内空気Ａはハウジング１の上端外周に接続された外側導入通路５とハウジング１の内部中心部に設けられた導出筒体２を有する内側導出通路７との間に設けられたファンＦの回動により、吸入口４を通じて室内空気Ａは周囲から吸気されるとともに、モータＭの回転軸８の軸長方向Ｉへと送気が行われる。
【００３１】
この際、図１、および図３に示されるように、金属、またはセラミックによりボール状もしくはグリット状に形成された基体１０の表面に金属粉末１１を溶着して構成される消臭剤ユニット１２が、ネット状の収納容器１３内に多数収納され、前記ファンＦを囲むように、その近傍に前記外側導入通路５内に複数個、図では４個の前記収納容器１３が着脱可能に設けられているので、吸入口４を通じて周囲からハウジング１内に導入される室内空気Ａが、ファンＦの回動力を間近に受けるため、収納容器１３内に収納されている脱臭剤ユニット１２に室内空気Ａが万遍なく接触することにより、接触性に優れ、しかも、周囲からの室内空気Ａを吸引して直ちに撹拌ばね１４によってモータＭの回転軸８の軸長方向Ｉに送気する構造のファンであるので、ファンＦによる室内空気Ａの送気効率は優れ、脱臭剤による脱臭機能は遺憾なく発揮されることにより、室内全域の消臭を迅速かつ効率的に行えるとともに、抗菌と、防カビと、防汚にも優れる。
【００３２】
そして、消臭剤９がチタン、またはスズよりなる金属粉末１１を基体１０に溶着した光反応触媒、又は電磁波を受けて反応する電磁波反応触媒を用いると、基体１０の表面にチタン粉末またはスズ粉末が溶着されて活性化される酸素欠乏傾斜構造皮膜が形成されるから、光を受けて反応されたり、電磁波を受けて反応されることにより、消臭に優れ、抗菌と、防カビと、防汚とにも優れる。
【００３３】
光は、ハウジング１の外壁、図ではハウジング１の上面に吸入口４と同じくして開設された数個の窓孔１５を通じて前記ハウジング１の外部からの光、例えば蛍光灯よりなる照明または自然光による光が導入され、又電磁波が多量に導入されるので、脱臭剤９に前述の光反応触媒、又は電磁波反応触媒を用いた場合に、脱臭剤９の酸素欠乏傾斜構造皮膜が光や電磁波を受けて活性化され、消臭、抗菌、防カビ、防汚が発揮される。
【００３４】
また、消臭剤９が、燐酸チタニウム、またはその化合物よりなる金属粉末１１を前記基体１０に溶着した空気反応触媒を用いた場合には、消臭剤９が光を受けなくても空気に触れた場合には、基体１０に溶着された燐酸チタニウム、またはその化合物よりなる金属粉末１１に空気中の酸素と水とが接触して生成される二価酸素と酸化オゾンとの酸化還元反応を惹起するとともに、酸素の還元により生成するＯ2-が、過酸化物、または過酸化水素となってＯＨを生成することにより、同様に消臭に優れ、抗菌と、防カビと、防汚とに優れる。
【００３５】
なお、前記基体１０の粒径は、４ｍｍ〜１０ｍｍである。また、前記ネット状の前記収納容器１３の編目の大きさ、外形の大きさ、その内部に詰める消臭剤９の大きさ、収容量は、任意に変更可能である。
【００３６】
そして、消臭がされてモータＭの回転軸８の軸長方向Ｉに送気された室内空気Ａは、底面視が前記外側導入通路５により包囲された導出筒体２内の内側導出通路７に流れ、この内側導出通路７の搾り、案内機能により直線的に排出口６から、長い到達距離をもって床目がけて勢い良く排出され、室内空気Ａは強制的に循環され、室内温度の温度むらを解消でき、暖房または冷房による消費エネルギーが省かれ、効率的に還流を行うことができる。
【００３７】
そして、図１、図３、図５に示すように、消臭剤９は、金属、またはセラミックによりボール状もしくはグリット状に形成された基体１０の表面にチタン、スズ、または燐酸チタニウムのような金属粉末１１を溶着して構成される消臭剤ユニット１２の多数がネット状の収納容器１３内に収納されているので、収納容器１３毎外側導入通路５内に、その外側および内側に配置される曲面壁部５Ａ,５Ｂの外形状に沿って嵌脱可能に嵌入されるという簡単な取扱操作により、ハウジング1内への取付、および取外は特別な構造、およびスペースを設けなくても簡単かつ確実に行うことができる。この際、収納容器１３は、ネット状に構成されるので、その形状が変更可能であり、外側導入通路５内の嵌脱操作が外側導入通路５の外周側の曲面壁部５Ａと、内周側の曲面壁部５Ｂとの曲率に沿って速やかに行える。
【００３８】
そして、使用により消臭剤９の消臭機能が低下した場合には、消臭剤９をネット状の収納容器１３毎引き抜けば、ハウジング１の外部に容易かつ確実に取出すことができるので、例えばネット状の収納容器１３の網目を通じて水洗いをしたり、払拭することにより、消臭剤９の掃除が、簡単な取扱操作により迅速かつ確実に行え、また、必要ならば新たな消臭剤９の交換が行え、作業性と取扱性が良くなり、以て脱臭剤９による脱臭機能の低下を防ぎ、保守・管理に優れる。そして、臭消剤９は、ハウジング１内の外側導入通路５にネット状の収納容器１３に詰められた状態でコンパクトに収納できるので、装置自体は小型にして構造簡単で軽量になり、製作および組付も容易で製作コストは安価になる。
【００３９】
下記[表１]は本実施形態１の室内空気循環用の送風装置を検証するために、室内Ｓの消臭状況を測定した結果である。測定には、ドアを閉めて密閉した約３１ｍ2の広さの室内Ｓと、ドアが密閉された上部の男子トイレとの２個所の天井３,３に本実施形態１の室内空気循環用の送風装置を取付け、測定日が２００９年１月２９日、同年２月１２日、同年２月１８日の３日間につき、ハンディポンプを用いて１０リットルの内容積のＰＥＴ製の袋内に臭気を採取してサンプルとし、このサンプルを正常な臭覚をもった６人の判定者を選出し、６段階臭気強度表示法により、臭気強度を０．５刻みに区分した数値で判定した。この際、判定には、判定者の、最大値と最小値を除いた、残りの判定値を平均し、その平均値の少数点以下の数値について、０．２５以上０．７５未満の場合には、０．５とし、また、０．７５以上０．２５未満の場合には整数値として判定した。前記６段階臭気強度表示法とは、０〜５までの６段階の臭気強度とし、このうち臭気強度０は無臭、臭気強度１はやっと感知できる臭（検知閾値濃度）、臭気濃度２は何の臭であるかわかる弱い臭（認知閾値濃度）、臭気濃度３はらくに感知できる臭、臭気強度４は強い臭、臭気強度５は強烈な臭をそれぞれいう。
【００４０】
そして、測定日として上記２００９年１月２９日は、温度１９．２〜２１．２℃、湿度が４２〜４５％ＲＨであり、本実施形態１の室内空気循環用の送風装置の稼働前に採取したサンプルについて判定を行った。また、同年２月１２日は、温度１９．０〜２０．０℃、湿度が２８％ＲＨであり、同年２月１８日については、本実施形態１の室内空気循環用の送風装置の稼働後に第１回目に採取したサンプルについて判定を行った。この時の温度は１７．８〜１８．２℃、湿度は３６〜３８％ＲＨである。このうち、同年２月１８日については、前述の本実施形態１の室内空気循環用の送風装置の稼働後の第１回目のサンプルの採取後、さらに３０分経過後に２番目に採取したサンプルについても判定を行った。この時の温度は１８．０〜１９．２℃、湿度は３２％ＲＨであり、上記[表１]はこれらの結果をまとめたものである。また、測定時に本実施形態１の室内空気循環用の送風装置に使用された消臭剤９は、チタン粉末、スズ粉末を基体１０に溶着した光反応触媒が用いられた。
【００４１】
【表１】
0003152178.tif 000003
【００４２】
上記[表１]から、本実施形態１の室内空気循環用の送風装置を駆動した場合と、駆動しない場合とでは、歴然とした差が見られ、本実施形態１の室内空気循環用の送風装置を駆動した時には消臭が極めて高く行われることがわかった。
【００４３】
＜実施形態２＞
また、図６乃至図８に示すものは本考案の実施形態２である。前記実施形態１では、室内空気循環用の送風装置が、天井３の下面に直付けして取付けられる場合につき説明しているが、この実施形態２では、天井３の裏面に前記ハウジング１が埋込まれて取付けられる室内空気循環用の送風装置であって、前記消臭剤ユニット１２を収納した前記収納容器１３′の複数個、例えば４個が、前記外側導入通路５に連通する拡張ハウジング１′の内壁に固定手段２０により着脱可能に設けられ、拡張ハウジング１′内に前記ハウジング１を設けている。このように、拡張ハウジング１′内には、前記ハウジング１が設けられることにより、室内空気Ａの吸入量が拡張ハウジング１′内までも拡大されて、消臭剤９に対する室内空気Ａの接触処理を効率的に行われるようになっている。
【００４４】
また、拡張ハウジング１′内に収納容器１３′を着脱自在に取り付けるための前記固定手段２０としては、例えばハウジング１の内面に突設したフック２１に前記収納容器１３′を係止することにより、収納容器１３′を着脱自在に拡張ハウジング１′内に取付ける。また、本実施形態２では、拡張ハウジング１′を天井３の裏面に着脱可能に取付けるための固着手段２２は、梁（図には示さず）から垂下されるボルト・ナット２３により拡張ハウジング１′を天井３の裏面に埋込むように取付ける。そして、この拡張ハウジング１′内に前記ハウジング１を複数本のチェーン２４を用いて吊り下げるようにしている。なお、必要ならば前記ハウジング１および拡張ハウジング１′の外壁に窓孔を設けることにより、この窓孔を通じて前記ハウジング１および前記拡張ハウジング１′の外部からの光、例えば蛍光灯などの照明光、または屋根に開設けた明かり取りから採取される自然光を前記拡張ハウジング１′および前記ハウジング１内に導光したり、空気中の電磁波を導入することにより、前記消臭剤９の光触媒、又は電磁波反応触媒を活性化させる点が前記実施形態１とは異なる構成である。
【００４５】
そして、室内空気Ａの吸入量が拡大された拡張ハウジング１′の内壁にフック２１よりなる固定手段２０により着脱可能に固着されたネット状の収納容器１３内に収納されている消臭剤９は、外側導入通路５内に嵌脱可能に収納容器１３が嵌入されているハウジング１内の消臭剤９と協働して脱臭剤９による脱臭機能を遺憾なく発揮させることにより、室内全域の消臭を迅速かつ効率的に行えるとともに、抗菌と、防カビと、防汚とに優れるという前記実施形態１とは異なる作用・効果を奏する。
【００４６】
なお、上記実施形態１では、前記ハウジング１を天井３の下面に取付けるのに、ハウジング１の本体部１Ａの上部に取付可能な取付部材１Ｂを天井３の裏面に設けた添木１Ｃにねじｎ１を用いて取付け、そして、取付部材１Ｂをハウジング１の前記本体部１Ａにねじｎ２を用いて結合して取付ける構造であるが、ハウジング１を天井３の下面に取付けるのには図には示さないが、複数本のチェーンを用いてハウジング１を天井３の下面に吊り下げることも本考案の適用範囲である。
【産業上の利用可能性】
【００４７】
本考案は、ハウジング内に導入される室内空気と脱臭剤との接触性、ファンによる室内空気の送気効率に優れ、脱臭剤による脱臭機能を遺憾なく発揮させることにより、室内全域の消臭を迅速かつ効率的に行えるとともに、抗菌と、防カビと、防汚とに優れ、また、消臭剤の掃除が、作業性と取扱性が良く行え、脱臭剤による脱臭機能の低下を防ぎ、保守・管理に優れ、小型にして構造簡単であり、製作および組付も容易で製作コストは安価になす用途・分野に適する。
【符号の説明】
【００４８】
１      ハウジング
２      導出筒体
３      天井
４      吸入口
５      外側導入通路
５Ａ    曲面壁部
５Ｂ    曲面壁部
６      排出口
７      内側導出通路
８      回転軸
９      消臭剤
１０    基体
１１    金属粉末
１２    消臭剤ユニット
１３    収納容器
１４    整流ばね
Ａ      室内空気
Ｆ      ファン
Ｍ      モータ
【図１】
0003152178.tif 000004
【図２】
0003152178.tif 000005
【図３】
0003152178.tif 000006
【図４】
0003152178.tif 000007
【図５】
0003152178.tif 000008
【図６】
0003152178.tif 000009
【図７】
0003152178.tif 000010
【図８】
0003152178.tif 000011